(57)【要約】【課題】重量調整材としての材料選定の自由度を高めながらも重量による所期の安定支持機能を確実に維持することができ、しかも、構造の簡素化を図りながら生産性を高める。【解決手段】支持対象物に対する連結具が係合可能な係合部４又は支持対象物を載置可能な載置部５若しくはそれらの両方が上部に備えられ、且つ、外部に開口する開口部６を通して装填される重量調整材２を収納可能な収納室Ｓが形成されたブロック本体１を樹脂成形し、このブロック本体１の成形冷却期間中に、前記収納室Ｓ内に重量調整材２を装填するとともに、前記開口部６に蓋体３を装着し、この蓋体３を前記ブロック本体１の成形収縮力で挾持する。【選択図】図３
2010078006.tif 000002
【特許請求の範囲】
【請求項１】
支持対象物に対する連結具が係合可能な係合部又は支持対象物を載置可能な載置部若しくはそれらの両方が上部に備えられ、且つ、外部に開口する開口部を通して装填される重量調整材を収納可能な収納室が形成されたブロック本体を樹脂成形し、このブロック本体の成形冷却期間中に、前記収納室内に重量調整材を装填するとともに、前記開口部に蓋体を装着し、この蓋体を前記ブロック本体の成形収縮力で挾持保持することを特徴とする支持ブロックの製造方法。
【請求項２】
支持対象物に対する連結具が係合可能な係合部又は支持対象物を載置可能な載置部若しくはそれらの両方が上部に備えられた樹脂成形のブロック本体に、外部に開口する開口部を通して装填された重量調整材を収納する収納室が形成され、この収納室内に重量調整材を装填した状態で前記開口部を閉止する蓋体が、前記ブロック本体の成形収縮力で挾持保持されている支持ブロック。
【請求項３】
支持対象物に対する連結具が係合可能な係合部又は支持対象物を載置可能な載置部若しくはそれらの両方が上部に備えられた樹脂成形のブロック本体に、外部に開口する開口部を通して装填された重量調整材を収納する収納室が形成され、この収納室の開口部を閉止する蓋体が設けられているとともに、前記ブロック本体の成形収縮後における開口部の蓋装着寸法が、該開口部に装着された蓋体をブロック本体の成形収縮力で挾持保持可能な寸法に構成されている支持ブロック。
【請求項４】
前記ブロック本体の成形収縮後における収納室の内寸法が、この収納室に装填されたブロック状の重量調整材をブロック本体の成形収縮力で挾持保持可能な寸法に構成されている請求項２又３記載の支持ブロック。
【請求項５】
前記ブロック本体の収納室内に装填されたブロック状の重量調整材が、ブロック本体の内面と蓋体の内面との対向面間において接触状態又はそれに近い状態で保持されている請求項２〜４のいずれか１項に記載の支持ブロック。
【請求項６】
前記ブロック本体の開口部には、前記重量調整材の装填方向から装着された蓋体の周縁部に当接する装着受け部を形成するとともに、前記ブロック本体の開口部と前記蓋体の装着周面との相対向する箇所の少なくとも一部に、前記ブロック本体の開口部における開口面積縮小側への成形収縮に連れて前記蓋体を前記装着受け部に圧接移動させる傾斜面が形成されている請求項２〜５のいずれか１項に記載の支持ブロック。
【請求項７】
前記ブロック本体の開口部には、当該ブロック本体の開口部における開口面積縮小側への成形収縮に連れて、前記蓋体の周縁部の少なくとも一部が重量調整材の装填方向に対して交差する方向から嵌合する嵌合凹部が形成されている請求項２〜５のいずれか１項に記載の支持ブロック。
【発明の詳細な説明】
【技術分野】
【０００１】
本発明は、管類（例えば、電線管や給排水管等）や機器類（例えば、空調機の室外機等）等の支持対象物を地面や屋上等の被設置面の上方側で支持する支持ブロック及びそれの製造方法に関し、詳しくは、支持対象物に対する連結具が係合可能な係合部、又は、支持対象物が載置可能な載置部、若しくはそれらの両方が上部に備えられている支持ブロック及びそれの製造方法に関する。
【背景技術】
【０００２】
この種の支持ブロックは、支持対象物を安定的に支持するため、ある程度の重量が必要になる。そして、従来、支持ブロックとして、成形型枠内の所定位置に前記係合部を構成する金属製のアリ溝形成部材及び芯材を保持させた状態で生コンクリートを流し込んで硬化させたのち、前記成形型枠を撤去することにより、アリ溝形成部材及び芯材を埋設した中実のコンクリートから構成したもの（下記特許文献１参照）、或いは、外郭を構成する下向き開口の合成樹脂製の型枠ケース内に生コンクリートを流し込んで硬化させることにより、コンクリートと型枠ケースとを一体化して構成したもの（下記特許文献２参照）が知られている。
【０００３】
【特許文献１】実開平３−１２３１８２号公報
【特許文献２】特開平８−４２７６１号公報
【発明の開示】
【発明が解決しようとする課題】
【０００４】
従来の支持ブロックでは、前記成形型枠又は合成樹脂製の型枠ケース内に流し込んだ生コンクリートが硬化するまでの養生期間が必要で、製造期間が長くなるとともに、材質的にもコンクリートに限定されるため、製造のコストの高騰化を招来し易い。
しかも、硬化したコンクリートに割れ等が発生した場合、前者の場合では、型枠ケースを構成する中実のコンクリートから剥離脱落するために、外観意匠が損なわれるばかりでなく、支持ブロックとしての機能が喪失する可能性がある。また、後者の場合は、型枠ケース内にコンクリートを打設するため、外観意匠は維持できるものの、型枠ケースの開口から割れたコンクリート片が脱落することは免れず、重量による安定支持面での機能が低下する。
【０００５】
本発明は、上述の実情に鑑みて為されたものであって、その主たる課題は、重量調整材としての材料選定の自由度を高めながらも重量による所期の安定支持機能を確実に維持することができ、しかも、構造の簡素化を図りながら生産性を高めることのできる支持ブロックの製造方法及び支持ブロックを提供する点にある。
【課題を解決するための手段】
【０００６】
本発明による第１の特徴構成は、支持ブロックの製造方法において、支持対象物に対する連結具が係合可能な係合部又は支持対象物を載置可能な載置部若しくはそれらの両方が上部に備えられ、且つ、外部に開口する開口部を通して装填される重量調整材を収納可能な収納室が形成されたブロック本体を樹脂成形し、このブロック本体の成形冷却期間中に、前記収納室内に重量調整材を装填するとともに、前記開口部に蓋体を装着し、この蓋体を前記ブロック本体の成形収縮力で挾持保持する点にある。
【０００７】
上記構成によれば、支持ブロックの外郭を構成する樹脂成形品のブロック本体に、蓋体で閉止される収納室を形成して、この収納室内に重量調整材を装填するから、前記重量調整材としてコンクリート以外に砂や砂利などの硬化処理を必要としない粉粒状材料をそのまま使用することが可能で、生産性、取り扱い性、コスト等を考慮した中から適切な材料を自由に選定することができる。
【０００８】
また、前記重量調整材としてコンクリートを使用する場合でも、ブロック本体内に装填可能な形態で予め製作することができるため、ブロック本体の成形完了時点で支持ブロックを完成することが可能であるとともに、仮に、コンクリートに割れが発生しても、その割れたコンクリート片が脱落することがなく、重量による安定支持機能を維持することができる。
【０００９】
しかも、前記ブロック本体の開口部に蓋体を装着するにあたっても、樹脂材料で成形されたブロック本体の成形冷却期間中において、該ブロック本体の成形収縮力を利用して蓋体をブロック本体の開口部に挾持保持させることができる。
【００１０】
従って、重量調整材としての材料選定の自由度を高めながらも重量による所期の安定支持機能を確実に維持することができ、しかも、ブロック本体の成形冷却期間中に重量調整材を入れて蓋体を装着するだけであるから、蓋体の取付け構造の簡素化を図りながら生産性を高めることができる。
【００１１】
本発明による第２の特徴構成は、支持ブロックにおいて、支持対象物に対する連結具が係合可能な係合部又は支持対象物を載置可能な載置部若しくはそれらの両方が上部に備えられた樹脂成形のブロック本体に、外部に開口する開口部を通して装填された重量調整材を収納する収納室が形成され、この収納室内に重量調整材を装填した状態で前記開口部を閉止する蓋体が、前記ブロック本体の成形収縮力で挾持保持されている点にある。
【００１２】
上記構成によれば、支持ブロックの外郭を構成する樹脂成形品のブロック本体に、蓋体で閉止される収納室を形成して、この収納室内に重量調整材を装填するから、前記重量調整材としてコンクリート以外に砂や砂利などの硬化処理を必要としない粉粒状材料をそのまま使用することが可能で、生産性、取り扱い性、コスト等を考慮した中から適切な材料を自由に選定することができる。
【００１３】
また、前記重量調整材としてコンクリートを使用する場合でも、ブロック本体内に装填可能な形態で予め製作することができるため、ブロック本体の成形完了時点で支持ブロックを完成することが可能であるとともに、仮に、コンクリートに割れが発生しても、その割れたコンクリート片が脱落することがなく、重量による安定支持機能を維持することができる。
【００１４】
しかも、前記ブロック本体の開口部に蓋体を装着するにあたっても、樹脂材料で成形されたブロック本体の成形収縮力を利用して蓋体をブロック本体の開口部に挾持保持することができる。
【００１５】
従って、重量調整材としての材料選定の自由度を高めながらも重量による所期の安定支持機能を確実に維持することができ、しかも、ブロック本体の成形冷却期間中に重量調整材を入れて蓋体を装着するだけであるから、蓋体の取付け構造の簡素化を図りながら生産性を高めることができる。
【００１６】
本発明による第３の特徴構成は、支持ブロックにおいて、支持対象物に対する連結具が係合可能な係合部又は支持対象物を載置可能な載置部若しくはそれらの両方が上部に備えられた樹脂成形のブロック本体に、外部に開口する開口部を通して装填された重量調整材を収納する収納室が形成され、この収納室の開口部を閉止する蓋体が設けられているとともに、前記ブロック本体の成形収縮後における開口部の蓋装着寸法が、該開口部に装着された蓋体をブロック本体の成形収縮力で挾持保持可能な寸法に構成されている点にある。
【００１７】
上記構成によれば、支持ブロックの外郭を構成する樹脂成形品のブロック本体に、蓋体で閉止される収納室を形成して、この収納室内に重量調整材を装填するから、前記重量調整材としてコンクリート以外に砂や砂利などの硬化処理を必要としない粉粒状材料をそのまま使用することが可能で、生産性、取り扱い性、コスト等を考慮した中から適切な材料を自由に選定することができる。
【００１８】
また、前記重量調整材としてコンクリートを使用する場合でも、ブロック本体内に装填可能な形態で予め製作することができるため、ブロック本体の成形完了時点で支持ブロックを完成することが可能であるとともに、仮に、コンクリートに割れが発生しても、その割れたコンクリート片が脱落することがなく、重量による安定支持機能を維持することができる。
【００１９】
しかも、前記ブロック本体の開口部に蓋体を装着するにあたっても、前記ブロック本体の成形収縮後における開口部の蓋装着寸法が、該開口部に装着された蓋体をブロック本体の成形収縮力で挾持可能な寸法に構成されているから、成形されたブロック本体の成形収縮力を利用して蓋体をブロック本体の開口部に挾持保持することができる。
【００２０】
従って、重量調整材としての材料選定の自由度を高めながらも重量による所期の安定支持機能を確実に維持することができ、しかも、ブロック本体の成形冷却期間中に重量調整材を入れて蓋体を装着するだけであるから、蓋体の取付け構造の簡素化を図りながら生産性を高めることができる。
【００２１】
本発明による第４の特徴構成は、上記第２又は第３の特徴構成を備えた支持ブロックにおいて、前記ブロック本体の成形収縮後における収納室の内寸法が、この収納室に装填されたブロック状の重量調整材をブロック本体の成形収縮力で挾持保持可能な寸法に構成されている点にある。
【００２２】
上記構成によれば、前記ブロック本体の成形冷却期間が終了した時点では、収納室の内面で装填されたブロック状の重量調整材を挾持保持することができるから、支持ブロックの輸送時等において収納空間内に装填された重量調整材がガタツクことを防止することができる。
【００２３】
本発明による第５の特徴構成は、上記第２〜第４のいずれか1つに記載の特徴構成を備えた支持ブロックにおいて、前記ブロック本体の収納室内に装填されたブロック状の重量調整材が、ブロック本体の内面と蓋体の内面との対向面間において接触状態又はそれに近い状態で保持されている点にある。
【００２４】
上記構成によれば、前記ブロック本体の成形冷却期間が終了した時点では、ブロック状の重量調整材がブロック本体の内面と蓋体の内面との対向面間において接触状態又は近接状態にあるから、支持ブロックの輸送時等において収納空間内に装填された重量調整材がガタツクことを防止又は抑制することができる。
【００２５】
特に、前記重量調整材がブロック本体の内面と蓋体の内面との対向面において接触状態にある場合には、成形冷却期間中のブロック本体の開口部に蓋体を装着する際、開口部を通して収納空間内に装填されている重量調整材を蓋体の装着位置決め部材に使用することができ、生産性の向上を図ることができる。
【００２６】
本発明による第６の特徴構成は、上記第２〜第５のいずれか1つに記載の特徴構成を備えた支持ブロックにおいて、前記ブロック本体の開口部に、前記重量調整材の装填方向から装着された蓋体の周縁部に当接する装着受け部を形成するとともに、前記ブロック本体の開口部と前記蓋体の装着周面との相対向する箇所の少なくとも一部に、前記ブロック本体の開口部における開口面積縮小側への成形収縮に連れて前記蓋体を前記装着受け部に圧接移動させる傾斜面が形成されている点にある。
【００２７】
上記構成によれば、前記ブロック本体の開口部に蓋体を装着する際、樹脂材料で成形されたブロック本体の成形冷却期間中において、前記ブロック本体の開口部に蓋体を配置するだけで、該ブロック本体の成形収縮力を利用して蓋体をブロック本体の開口部に挾持保持させることができる。
【００２８】
しかも、このとき、前記ブロック本体の開口部と前記蓋体の装着周面との相対向する箇所の少なくとも一部に形成した傾斜面により、前記ブロック本体の開口部における開口面積縮小側への成形収縮に連れて前記蓋体を前記装着受け部に圧接させることができ、前記蓋体を重量調整材の重量に抗して強固に取り付けることができる。
【００２９】
本発明による第７の特徴構成は、上記第２〜第５のいずれか1つに記載の特徴構成を備えた支持ブロックにおいて、前記ブロック本体の開口部に、前記ブロック本体の開口部における開口面積縮小側への成形収縮に連れて、前記蓋体の周縁部の少なくとも一部が重量調整材の装填方向に対して交差する方向から嵌合する嵌合凹部が形成されている点にある。
【００３０】
上記構成によれば、前記ブロック本体の開口部に蓋体を装着する際、樹脂材料で成形されたブロック本体の成形冷却期間中において、該ブロック本体の成形収縮力を利用して蓋体をブロック本体の開口部に挾持保持することができる。
【００３１】
しかも、このとき、前記ブロック本体の開口部における開口面積縮小側への成形収縮に連れて、前記ブロック本体の開口部に形成されている嵌合凹部が、重量調整材の装填方向に対して交差する方向から蓋体の周縁部の少なくとも一部に嵌合するから、前記蓋体を重量調整材の重量に抗して強固に取り付けることができる。
【発明を実施するための最良の形態】
【００３２】
〔第１実施形態〕
図１〜図８は、電線管や給排水管等の管類Ｐ（図１参照）や空調機の室外機等の機器類Ｋ（図２参照）などの支持対象物を被設置面Ｇから所定高さ位置で支持する支持ブロックＡを示す。
【００３３】
前記支持ブロックＡは、樹脂（本例では、再生プラスチック）で成形される横断面視略台形状のブロック本体１と、該ブロック本体１に形成された下向き開口の収納空間Ｓに充填される重量調整材の一例で、ブロック本体１の収納空間Ｓの内面形状に似た輪郭のブロック形状に成形されたスラグコンクリート製の重量調整用ブロック２と、前記ブロック本体１の底面１ｂの開口部６を閉止可能な樹脂（本例では、再生プラスチック）製の蓋体３から構成されている。
【００３４】
前記ブロック本体１の上部には、管類Ｐや機器類Ｋを支持ブロックＢに固定する連結具Ｂの一例である押え金具１０やボルト１１が係合可能なアリ溝状の係合部４と、管類Ｐや機器類Ｋが載置可能な載置部５とが備えられている。
【００３５】
前記係合部４は、ブロック本体１の上壁部１Ａの横幅方向（短辺方向）中央位置において長手方向（長辺方向）に沿って窪み形成された凹溝４ａと、この凹溝４ａを構成する両溝側板部４ｂと溝底板部４ｃとのうち、両溝側板部４ｂの上端から溝幅方向中央側に向かって一体的に突出形成された係合板部４ｄとから構成されている。
【００３６】
前記載置部５は、前記ブロック本体１の上壁部１Ａが横幅方向中央側ほど上方に位置する略逆Ｖ字状の傾斜姿勢に形成されているため、この上壁部１Ａの逆Ｖ字状上面１ａのうち、前記凹溝４ａの長手方向に沿う両開口縁に連なる頂部側の上面部分から構成されている。
【００３７】
そして、前記支持ブロックＡに管類Ｐを取付ける場合には、図１に示すように、前記押え金具１０の両押え板１０Ａの下部側に形成された係止部１０ａを前記支持ブロックＡの凹溝４ａに係入し、両押え板１０Ａの上部同士をボルト１０Ｂ、ナット１０Ｃで締付け連結することにより、このボルト１０Ｂ、ナット１０Ｃの締付けに伴う両押え板１０Ａの引き寄せ移動に連れて、ブロック本体１の上壁部１Ａにおける載置部５としての頂部側上面部分に載置されている管類Ｐを締付け固定する。
【００３８】
また、前記支持ブロックＡに機器類Ｋの取付け片１３を取付ける場合には、図２に示すように、前記支持ブロックＡの凹溝４ａにボルト１１の頭部を係入し、このボルト１１のネジ軸部を機器類Ｋの取付け片１３に挿通させてナット１２を締付け操作することにより、ブロック本体１の上壁部１Ａにおける載置部５としての頂部側上面部分に載置されている機器類Ｋの取付け片１３を締付け固定する。
【００３９】
前記ブロック本体１の成形収縮後（成形冷却期間経過後）における開口部６の蓋装着寸法、つまり、図６に示す横幅方向での蓋装着寸法（蓋装着面同士が共に傾斜している場合には蓋装着最小寸法と蓋装着最大寸法）Ｗ１と図７に示す長手方向での蓋装着寸法Ｌ１が、前記蓋体３の図６に示す幅方向の寸法（蓋装着面同士が共に傾斜している場合には最小幅寸法と最大幅寸法）Ｗ２と図７に示す長手方向の寸法（長さ寸法）Ｌ２よりも若干小なる寸法に設定されている。
【００４０】
さらに、前記ブロック本体１の成形直後（成形冷却期間の初期的段階）における開口部６の蓋装着寸法、つまり、横幅方向での蓋装着寸法（蓋装着面同士が共に傾斜している場合には蓋装着最小寸法と蓋装着最大寸法）Ｗ１と図７に示す長手方向での蓋装着寸法Ｌ１が、前記蓋体３の図６に示す幅寸法（蓋装着面同士が共に傾斜している場合には最小幅寸法と最大幅寸法）Ｗ２と図７に示す長さ寸法Ｌ２よりも若干大なる寸法に設定されている。
【００４１】
特に、蓋装着面同士が共に傾斜している場合では、前記ブロック本体１の開口部６に対して蓋体３をスムーズに挿入装着することができるように、前記開口部６における横幅方向での蓋装着最小寸法が、前記蓋体３の最大幅寸法よりも大に設定されている。
【００４２】
そのため、支持ブロックＡの製造方法としては、図８に示すように、下方に開口する開口部６を通して装填される重量調整用ブロック２を収納可能な収納室Ｓが形成されたブロック本体１を樹脂成形し、このブロック本体１の成形冷却期間中に、前記収納室Ｓ内に重量調整用ブロック２を装填するとともに、前記開口部６の所定蓋装着位置に蓋体３を入り込み配置することにより、この蓋体３を前記ブロック本体１の成形収縮力（熱収縮力）で挾持保持（挾持固定）することができる。
【００４３】
前記ブロック本体１の開口部６を構成する４面の側壁部１Ｂのうち、長手方向に沿う一対の側壁部１Ｂにおける内面の開口側には、前記重量調整用ブロック２の装填方向から装着された蓋体３の周縁部に当接する装着受け面（装着受け部の一例）７が形成され、この装着受け面７に連続する両側壁部１Ｂの内面における蓋装着相当箇所には、上方ほど横幅方向の外方側に位置する傾斜面８が、前記装着受け面７とで横断面視略フの字状の嵌合溝を構成する状態で窪み形成されているとともに、前記蓋体３の装着周面３ａのうち、前記傾斜面８に相対向する長辺側の一対の装着面部分が、上方ほど横幅方向の外方側に位置する傾斜面９に形成されている。
【００４４】
そして、前記ブロック本体１の成形冷却期間中に、横幅方向での成形収縮に連れてブロック本体１の両側壁部１Ｂの内面に形成された傾斜面８が前記蓋体３の傾斜面９に面接触し、且つ、その面接触状態での更なる成形収縮に連れて前記蓋体３を装着受け面７に圧接移動させるように構成されているため、前記ブロック本体１の開口部６に対して前記蓋体３を重量調整用ブロック２の重量に抗して強固に取り付けることができる。
【００４５】
前記ブロック本体１の成形収縮後（成形冷却期間経過後）における側壁部１Ｂの内面対向間隔（収納室Ｓの内寸法）、つまり、図６に示す横幅方向での内面対向間隔Ｗ３と図７に示す長手方向での内面対向間隔Ｌ３が、前記重量調整用ブロック２の図６に示す幅方向の寸法（幅寸法）Ｗ４と図７に示す長手方向の寸法（長さ寸法）Ｌ４よりも若干小なる寸法に設定されているとともに、前記ブロック本体１の成形直後（成形冷却期間の初期的段階）における側壁部１Ｂの横幅方向での内面対向間隔Ｗ３と長手方向での内面対向間隔Ｌ３が、前記重量調整用ブロック２の幅寸法Ｗ４と長さ寸法Ｌ４よりも若干大なる寸法に設定されている。
【００４６】
前記ブロック本体１の成形冷却期間中においては、前記ブロック本体１の収納室Ｓに対する重量調整用ブロック２の装填作業の容易化を図りながら、前記ブロック本体１の成形冷却期間が終了した時点では、収納室Ｓを構成する側壁部１Ｂの内面で装填された重量調整用ブロック２を挾持保持することができるから、支持ブロック1の輸送時等において収納室Ｓ内に装填された重量調整材がガタツクことを防止することができる。
【００４７】
前記重量調整用ブロック２の上面には、図３に示すように、前記ブロック本体１の両側壁部１Ｂと前記係合部４の両溝側板部４ｂとの対向面間の空間に重量調整用ブロック２の一部が入り込むことができるように、前記係合部４の溝底板部４ｃが入り込む凹部２ａが形成されている。
【００４８】
前記重量調整用ブロック２の凹部２ａの底面から重量調整用ブロック２の下面２ｂまでの高さＨ２を、前記ブロック本体１の成形冷却期間終了時点での前記蓋体３の内面３ｂとブロック本体１の係合部４における溝底板部４ｃの下面（ブロック本体１の内面の一例）までの高さＨ１と同一又はそれよりも若干小なる寸法に形成して、前記ブロック本体１の収納室Ｓ内に装填された重量調整用ブロック２が、蓋体３の内面３ｂと係合部４における溝底板部４ｃの下面との対向面間において接触状態又はそれに近い状態で保持されるように構成されている。
【００４９】
そのため、前記ブロック本体１の成形冷却期間が終了した時点では、前記ブロック本体１の収納室Ｓ内に装填された重量調整用ブロック２の上下方向での相対移動がない又は上下方向での相対移動量が少なくなり、支持ブロック１の輸送時等において収納室Ｓ内に装填された重量調整用ブロック２がガタツクことを防止又は抑制することができる。
【００５０】
前記蓋体３の下面における長手方向両側部には、被設置面Ｇとの摩擦抵抗を増大させる滑り止め機能及び支持ブロックＡの設置による被設置面Ｇの損傷を抑止する損傷抑止機能を備えた樹脂製（本例では、排タイヤをリサイクルした合成ゴム製）の弾性マット１４が付設されている。
【００５１】
〔第２実施形態〕
図９に示すように、前記ブロック本体１の開口部６を構成する４面の側壁部１Ｂのうち、長手方向に沿う一対の側壁部１Ｂにおける内面の開口側に、前記重量調整用ブロック２の装填方向から装着された蓋体３の周縁部に当接する装着受け面（装着受け部の一例）７と、この装着受け面７に連続する蓋装着相当箇所において、上方ほど横幅方向の外方側に位置する傾斜面８とが、横断面視略フの字状の嵌合溝を構成する状態で窪み形成されているとともに、前記蓋体３の装着周面３ａのうち、前記傾斜面８に相対向する長辺側の一対の装着面部分が、上方ほど横幅方向の外方側に位置する傾斜面９に形成されている。
【００５２】
前記ブロック本体１の成形直後（成形冷却期間の初期的段階）における側壁部１Ｂの横幅方向での内面対向間隔Ｗ３を、前記蓋体３の幅寸法（最大幅寸法）Ｗ２よりも小になる寸法に設定されているとともに、前記ブロック本体１の成形直後（成形冷却期間の初期的段階）における前記両フの字状嵌合溝の最下端における最小間隔Ｗ５が、前記蓋体３の幅寸法（最大幅寸法）Ｗ２よりも大になる寸法に設定されている。
【００５３】
前記ブロック本体１の開口部６に蓋体３を装着する際、樹脂材料で成形されたブロック本体１の成形冷却期間中において、前記ブロック本体１の開口部６に形成した装着受け面７に蓋体３を当て付けるだけで、該ブロック本体１の成形収縮力を利用して蓋体３をブロック本体１の開口部６に挾持保持させることができる。
尚、その他の構成は、第１実施形態で説明した構成と同一であるから、同一の構成箇所には、第１実施形態と同一の番号を付記してそれの説明は省略する。
【００５４】
〔第３実施形態〕
前記ブロック本体１の開口部６を構成する４面の側壁部１Ｂのうち、少なくとも相対向する一組の側壁部１Ｂの内面の蓋取付け相当箇所に、成形されたブロック本体１の開口部６における開口面積縮小側への成形収縮に連れて、前記蓋体３の周縁部の少なくとも一部が重量調整用ブロック２の装填方向に対して交差（直交）する方向から嵌合する嵌合凹部１５が形成されている。
【００５５】
前記ブロック本体１の成形収縮力を利用して蓋体３をブロック本体１の開口部６に挾持保持させる際、前記ブロック本体１の開口部６における開口面積縮小側への成形収縮に連れて、前記ブロック本体１の開口部６に形成されている嵌合凹部１５が、重量調整用ブロック２の装填方向に対して交差（直交）する方向から蓋体３の周縁部の少なくとも一部に嵌合するから、前記蓋体３を重量調整用ブロック２の重量に抗して強固に取り付けることができる。
尚、その他の構成は、第１実施形態で説明した構成と同一であるから、同一の構成箇所には、第１実施形態と同一の番号を付記してそれの説明は省略する。
【００５６】
〔その他の実施形態〕
（１）上述の第１実施形態では、前記ブロック本体１の成形収縮後における開口部６の蓋装着寸法、つまり、横幅方向での蓋装着寸法Ｗ１と長手方向での蓋装着寸法Ｌ１を、前記蓋体３の幅寸法Ｗ２と長さ寸法Ｌ２よりも若干小なる寸法に設定したが、横幅方向での蓋装着寸法Ｗ１又は長手方向での蓋装着寸法Ｌ１のみを、前記蓋体３の幅寸法Ｗ２又は長さ寸法Ｌ２よりも若干小なる寸法に設定してもよい。
また、前記ブロック本体１の成形収縮後における開口部６の一部、つまり、開口部６を構成する４面の側壁部１Ｂの一部における前記横幅方向での蓋装着寸法Ｗ１又は長手方向での蓋装着寸法Ｌ１を、前記蓋体３の幅寸法Ｗ２又は長さ寸法Ｌ２よりも若干小なる寸法に設定してもよい。
【００５７】
（２）上述の各実施形態では、前記支持対象物に対する連結具Ｂが係合可能な係合部４と、支持対象物が載置可能な載置部５との両方がブロック本体１に備えられている場合を例に示したが、何れか一方だけが備えられていてもよい。例えば、ブロック本体１が、それの上面部を支持対象物が載置可能な載置部５とする横断面視台形状から構成されていてもよい。
【００５８】
（３）前述の各実施形態では、前記蓋体３が被設置面Ｇに対する設置面を構成する状態でブロック本体１の底面１ｂに設けられている場合を例に示したが、例えば、被設置面Ｇから上方側に後退した部位などの設置面を構成しない部位に前記蓋体３を設けてもよい。
【００５９】
（４）前述の実施形態では、前記重量調整材２として、ブロック本体１の収納空間Ｓの内面形状に似たブロック状に成形されたスラグコンクリート製の重量調整用ブロック２を例に示したが、例えば、廃材や砂、或いは、モルタル、砂利など、種々の材料を採用することができる。
【００６０】
（５）前記支持ブロックＡの素材や形状、大きさ等の具体的構成は、前述の実施形態で示した如き構成に限らず、種々の構成変更が可能である。
【図面の簡単な説明】
【００６１】
【図１】本発明の第１実施形態の支持ブロックの使用状態を示す説明図
【図２】支持ブロックの別の使用状態を示す説明図
【図３】支持ブロックの横断面図
【図４】支持ブロックの縦断面図
【図５】支持ブロックの底面図
【図６】分解状態での支持ブロックの横断面図
【図７】分解状態での支持ブロックの縦断面図
【図８】分解斜視図
【図９】本発明の第２実施形態を示す分解状態での支持ブロックの横断面図
【図１０】本発明の第３実施形態を示す支持ブロックの横断面図
【符号の説明】
【００６２】
Ｂ        連結具
Ｐ        支持対象物（管類）
Ｋ        支持対象物（機器類）
Ｓ        収納空間
Ｌ１      蓋装着寸法
Ｌ３      内寸法（内面対向間隔）
Ｗ１      蓋装着寸法
Ｗ３      内寸法（内面対向間隔）
１        ブロック本体
２        重量調整材（重量調整用ブロック）
３        蓋体
３ａ      装着周面
４        係合部
５        載置部
６        開口部
７        装着受け部（装着受け面）
８        傾斜面
９        傾斜面
１５      嵌合凹部
【図１】
2010078006.tif 000003
【図２】
2010078006.tif 000004
【図３】
2010078006.tif 000005
【図４】
2010078006.tif 000006
【図５】
2010078006.tif 000007
【図６】
2010078006.tif 000008
【図７】
2010078006.tif 000009
【図８】
2010078006.tif 000010
【図９】
2010078006.tif 000011
【図１０】
2010078006.tif 000012